(57)【特許請求の範囲】
【請求項１】
特定の受信帯域にあるチャンネルに複数のサービスを含むマルチ編成チャンネル放送である第１階層の放送と第２階層の放送とを含む放送波を受信して、前記第１階層の放送に含まれる複数のサービスと前記第２階層の放送に含まれる複数のサービスとのうち、１つのサービスを出力する放送受信回路であって、
前記第１階層の放送に含まれる複数のサービスの構成を示す第１マルチ編成チャンネル情報を抽出する第１抽出部と、
前記第２階層の放送に含まれる複数のサービスの構成を示す第２マルチ編成チャンネル情報を抽出する第２抽出部と、
前記第１抽出部により抽出された前記第１マルチ編成チャンネル情報と、前記第２抽出部により抽出された前記第２マルチ編成チャンネル情報とを用いて、前記第１階層の放送に含まれる複数のサービス構成と前記第２階層の放送に含まれる複数のサービスの構成とを比較することにより、前記第１階層の放送に含まれる複数のサービスのうちいずれかのサービスと、第２階層の放送に含まれる複数のサービスのうちいずれかのサービスとがサイマル放送に該当するか否かを判定する判定部と、
前記判定部での判定結果に基づいて、前記第１階層の放送と前記第２階層の放送との出力切替を行って、前記第１階層の放送に含まれる複数のサービスと前記第２階層の放送に含まれる複数のサービスとのうち、１つのサービスを出力する視聴切替制御部とを備え、
前記判定部は、現時点で出力している階層のサービスと、現時点で出力している階層とは異なる階層に含まれる複数のサービスのうちのいずれかのサービスとがサイマル放送に該当するか否かを判定する
放送受信回路。
【請求項２】
前記視聴切替制御部は、
前記判定部により、前記視聴切替制御部が出力している第１階層の放送に含まれる複数のサービスのうちの１つのサービスと、切替先となる前記第２階層に含まれる複数のサービスの１つのサービスとがサイマル放送に該当すると判定された場合、前記第１階層の放送から前記第２階層の放送に出力切替を行って、切替先となる前記第２階層に含まれる複数のサービスの当該１つのサービスを出力する
請求項１に記載の放送受信回路。
【請求項３】
前記判定部は、前記視聴切替制御部が出力している第１階層の放送に含まれる複数のサービスのうちの１つのサービスに対して、切替先となる前記第２階層に含まれるサービスのうちの複数のサービスがサイマル放送に該当すると判定する場合、さらに、当該複数のサービスが、所定の時間経過後も前記サイマル放送に該当するか否かを判定し、
前記視聴切替制御部は、前記第１階層の放送から前記第２階層の放送に出力切替を行って、前記判定部により前記所定の時間経過後もサイマル放送に該当すると判定された当該複数のサービスのうちの１つのサービスを出力する
請求項１に記載の放送受信回路。
【請求項４】
前記視聴切替制御部は、前記判定部により、切替先となる前記第２階層に含まれるサービスがいずれもサイマル放送でないと判定された場合は、前記第１階層の放送から前記第２階層の放送への出力切替を行わない
請求項１に記載の放送受信回路。
【請求項５】
前記視聴切替制御部は、
前記判定部により、切替先となる前記第２階層に含まれるサービスのいずれもが、前記視聴切替制御部が出力している第１階層の放送に含まれる複数のサービスのうちの１つのサービスにおけるサイマル放送に該当しないと判定され、さらに、前記判定部により、前記第２階層に含まれるサービスのうちのいずれかのサービスが所定の時間経過後に当該１つのサービスのサイマル放送に該当すると判定された場合に、前記第１階層の放送から前記第２階層の放送に出力切替を行って、前記所定の時間経過後に当該１つのサービスのサイマル放送に該当すると判定された当該第２階層に含まれるサービスのうちのいずれかのサービスを出力する
請求項１に記載の放送受信回路。
【請求項６】
さらに、前記第１階層の放送に含まれる複数のサービスと前記第２階層の放送に含まれる複数のサービスとの少なくとも一方に関する情報を利用者に提示するための情報通知部を備え、
前記情報通知部は、前記判定部により切替先となる前記第２階層に含まれる複数のサービスのいずれもが、前記視聴切替制御部が出力している第１階層の放送に含まれる複数のサービスのうちの１つのサービスにおけるサイマル放送に該当しない場合で、かつ、前記第２階層に含まれる複数のサービスがそれぞれ異なる場合に、前記第２階層に含まれる複数のサービスそれぞれに関する情報を利用者に対して提示する
請求項１に記載の放送受信回路。
【請求項７】
前記視聴切替制御部は、さらに、前記第２階層に含まれる複数のサービスのうち特定のサービスを選択する旨の指示を利用者により受けた場合、前記第１階層の放送から前記第２階層の放送に出力切替を行って、前記特定のサービスを出力する
請求項６に記載の放送受信回路。
【請求項８】
前記情報通知部は、さらに、その後に前記第１階層の放送が視聴可能となった際に、前記第１階層の放送に含まれる複数のサービスのうちの前記１つのサービスが視聴可能となった旨の情報を利用者に提示する
請求項７に記載の放送受信回路。
【請求項９】
前記情報通知部は、
前記判定部により、切替先となる前記第２階層に含まれるサービスが、前記視聴切替制御部により出力されている第１階層の前記１つのサービスのサイマル放送に該当すると判定されるものの、サービス内容の詳細が一致しないと判定される場合には、その結果を利用者に対して提示する
ことを特徴とする請求項６に記載の放送受信回路。
【請求項１０】
前記視聴切替制御部は、さらに、前記第１抽出部および前記第２抽出部により前記第１階層の放送および第２階層の放送に含まれる複数のサービスが一時的に継続できないと判断された場合に、出力している前記１つのサービスに替えて、予め予約された静止画、音声および写真を含む他のサービスを出力する
請求項１に記載の放送受信回路。
【請求項１１】
特定の受信帯域にあるチャンネルに複数のサービスを含むマルチ編成チャンネル放送である第１階層の放送と第２階層の放送とを含む放送波を受信して、前記第１階層の放送に含まれる複数のサービスと、前記第２階層の放送に含まれる複数のサービスのうち、１つのサービスを出力する放送受信装置であって、
前記第１階層の放送に含まれる複数のサービスの構成を示す第１マルチ編成チャンネル情報を抽出する第１抽出部と、
前記第２階層の放送に含まれる複数のサービスの構成を示す第２マルチ編成チャンネル情報を抽出する第２抽出部と、
前記第１抽出部により抽出された前記第１マルチ編成チャンネル情報と、前記第２抽出部により抽出された前記第２マルチ編成チャンネル情報とを用いて、前記第１階層の放送に含まれる複数のサービス構成と前記第２階層の放送に含まれる複数のサービスの構成とを比較することにより、前記第１階層の放送に含まれる複数のサービスのうちいずれかのサービスと、第２階層の放送に含まれる複数のサービスのうちいずれかのサービスとがサイマル放送に該当するか否かを判定する判定部と、
前記判定部での判定結果に基づいて、前記第１階層の放送と前記第２階層の放送との出力切替を行って、前記第１階層の放送に含まれる複数のサービスと前記第２階層の放送に含まれる複数のサービスとのうち、１つのサービスを出力する視聴切替制御部とを備え、
前記判定部は、現時点で出力している階層のサービスと、現時点で出力している階層とは異なる階層に含まれる複数のサービスのうちのいずれかのサービスとがサイマル放送に該当するか否かを判定する
ことを特徴とする放送受信装置。
【請求項１２】
前記視聴切替制御部は、
前記判定部により、前記視聴切替制御部が出力している第１階層の放送に含まれる複数のサービスのうちの１つのサービスと、切替先となる前記第２階層に含まれる複数のサービスの１つのサービスとがサイマル放送に該当すると判定された場合、前記第１階層の放送から前記第２階層の放送に出力切替を行って、切替先となる前記第２階層に含まれる複数のサービスの当該１つのサービスを出力する
請求項１１に記載の放送受信装置。
【請求項１３】
前記判定部は、前記視聴切替制御部が出力している第１階層の放送に含まれる複数のサービスのうちの１つのサービスに対して、切替先となる前記第２階層に含まれるサービスのうちの複数のサービスがサイマル放送に該当すると判定する場合、さらに、当該複数のサービスが、所定の時間経過後も前記サイマル放送に該当するか否かを判定し、
前記視聴切替制御部は、前記第１階層の放送から前記第２階層の放送に出力切替を行って、前記判定部により前記所定の時間経過後もサイマル放送に該当すると判定された当該複数のサービスのうちの１つのサービスを出力する
請求項１１に記載の放送受信装置。
【請求項１４】
前記視聴切替制御部は、前記判定部により、切替先となる前記第２階層に含まれるサービスがいずれもサイマル放送でないと判定された場合は、前記第１階層の放送から前記第２階層の放送への出力切替を行わない
請求項１１に記載の放送受信装置。
【請求項１５】
前記視聴切替制御部は、
前記判定部により、切替先となる前記第２階層に含まれるサービスのいずれもが、前記視聴切替制御部が出力している第１階層の放送に含まれる複数のサービスのうちの１つのサービスにおけるサイマル放送に該当しないと判定され、さらに、前記判定部により、前記第２階層に含まれるサービスのうちのいずれかのサービスが所定の時間経過後に当該１つのサービスのサイマル放送に該当すると判定された場合に、前記第１階層の放送から前記第２階層の放送に出力切替を行って、前記所定の時間経過後に当該１つのサービスのサイマル放送に該当すると判定された当該第２階層に含まれるサービスのうちのいずれかのサービスを出力する
請求項１１に記載の放送受信装置。
【請求項１６】
さらに、前記第１階層の放送に含まれる複数のサービスと前記第２階層の放送に含まれる複数のサービスとの少なくとも一方に関する情報を利用者に提示するための情報通知部を備え、
前記情報通知部は、前記判定部により切替先となる前記第２階層に含まれる複数のサービスのいずれもが、前記視聴切替制御部が出力している第１階層の放送に含まれる複数のサービスのうちの１つのサービスにおけるサイマル放送に該当しない場合で、かつ、前記第２階層に含まれる複数のサービスがそれぞれ異なる場合に、前記第２階層に含まれる複数のサービスそれぞれに関する情報を利用者に対して提示する
請求項１１に記載の放送受信装置。
【請求項１７】
前記視聴切替制御部は、さらに、前記第２階層に含まれる複数のサービスのうち特定のサービスを選択する旨の指示を利用者により受けた場合、前記第１階層の放送から前記第２階層の放送に出力切替を行って、前記特定のサービスを出力する
請求項１６に記載の放送受信装置。
【請求項１８】
前記情報通知部は、さらに、その後に前記第１階層の放送が視聴可能となった際に、前記第１階層の放送に含まれる複数のサービスのうちの前記１つのサービスが視聴可能となった旨の情報を利用者に提示する
請求項１７に記載の放送受信装置。
【請求項１９】
前記情報通知部は、
前記判定部により、切替先となる前記第２階層に含まれるサービスが、前記視聴切替制御部により出力されている第１階層の前記１つのサービスのサイマル放送に該当すると判定されるものの、サービス内容の詳細が一致しないと判定される場合には、その結果を利用者に対して提示する
請求項１６に記載の放送受信装置。
【請求項２０】
前記視聴切替制御部は、さらに、前記第１抽出部および前記第２抽出部により前記第１階層の放送および第２階層の放送に含まれる複数のサービスが一時的に継続できないと判断された場合に、出力している前記１つのサービスに替えて、予め予約された静止画、音声および写真を含む他のサービスを出力する
請求項１１に記載の放送受信装置。
【発明の詳細な説明】
【技術分野】
【０００１】
本発明は、放送受信回路および放送受信装置に関し、特に、複数階層に含まれる受信サービスを切り替えて視聴することができる放送受信回路および放送受信装置に関する。
【背景技術】
【０００２】
日本の地上デジタルテレビ放送では、１チャンネル分の帯域が１３セグメントに分割され、携帯電話などの移動体受信機での安定受信を目的として、１３セグメント中の１セグメントだけ利用する１セグメント部分受信サービス（以下、１セグ放送と呼ぶ）が行われている。また、１セグ放送で利用された１セグメントを除く残りの１２セグメントを利用して、１セグ放送に比べて安定受信では劣るものの、固定テレビ受信機での高精細（ハイビジョン）番組の受信を目的としたサービス（以下、１２セグ放送と呼ぶ）が行なわれている。１２セグ放送と１セグ放送とでは、互いに異なる種類の符号化方式が用いられているものの、主に、同時刻に同一内容の番組が放送されている。このような放送形態は、サイマル放送と呼ばれる。
【０００３】
このサイマル放送の特徴を利用してデジタル放送を受信する、車載用のデジタル放送受信装置がある。この車載用デジタル放送受信装置では、デジタル放送の受信状態等に応じて１２セグ放送と１セグ放送とを切り替えてモニタ等の表示装置に出力することで、視聴対象の番組内容が同一となるよう出力を継続する技術すなわちデジタル放送の受信状態によらず視聴対象の番組の視聴の継続を可能とする技術が存在する（例えば、特許文献１および特許文献２）。特許文献１では、同一チャンネルにおいてサイマル放送が行なわれているか否かを判定し、サイマル放送が行なわれている場合には、１２セグ放送と１セグ放送とを切り替えて出力する技術が開示されている。また、特許文献２では、サイマル放送が行われていない場合には、予め使用者が指定した他のチャンネルへの切り替えや、内容が類似する他のチャンネルに切り替えて出力する技術が開示されている。
【先行技術文献】
【特許文献】
【０００４】
【特許文献１】特開２００７−２９５４６８号公報
【特許文献２】特開２００９−２９０５０７号公報
【発明の概要】
【発明が解決しようとする課題】
【０００５】
近年、１２セグ放送と１セグ放送とで、同時刻に異なる内容の番組が放送されるケースが見られる。さらには、１セグ放送側でもマルチ編成チャンネルとして放送が行われる場合がある。ここで、マルチ編成チャンネルとは、選択した周波数に対応するチャンネルに複数のサービスが含まれて送出されるサービス形態のチャンネルのことである。例えば、運用が開始されている１セグ放送でマルチ編成チャンネルの実施例として、１２セグ放送に対応する番組をサイマル放送するサービスに加えて、特定の地域で固有の情報を紹介する番組など独自の番組内容をサービスするなどがある。
【０００６】
しかしながら、このような現状に対して、上記特許文献１および上記特許文献２では、マルチ編成チャンネルのサービスの送出状況についての考慮はない。具体的には、上記特許文献１および上記特許文献２に開示される技術では、マルチ編成チャンネルの各サービスに対して、その各サービスがサイマル放送であるか否かの確認を行わないまま切り替えを行うことになる。そして、その場合には、１２セグ放送から視聴者が意図しない１セグ放送サービス、または、１セグ放送から視聴者が意図しない１２セグ放送サービスへの切り替えが発生することになる。つまり、番組の継続視聴の観点で視聴者に違和感を与えてしまうことになる。
【０００７】
そこで、本発明は、上述の事情を鑑みてなされたものであり、マルチ編成チャンネルを考慮し、サイマル放送されているサービスに対して、より確実に番組内容が同一のサービスに切り替える放送受信回路および放送受信装置を提供することを目的とする。
【課題を解決するための手段】
【０００８】
上記目的を達成するために、本発明の一態様に係る放送受信装置は、複数のサービスを含むマルチ編成チャンネル放送である第１階層の放送と第２階層の放送とを含む放送波を受信して、前記第１階層の放送に含まれる複数のサービスと前記第２階層の放送に含まれる複数のサービスとのうち、１つのサービスを出力する放送受信回路であって、前記第１階層の放送に含まれる複数のサービスの構成を示す第１マルチ編成チャンネル情報を抽出する第１抽出部と、前記第２階層の放送に含まれる複数のサービスの構成を示す第２マルチ編成チャンネル情報を抽出する第２抽出部と、前記第１抽出部により抽出された前記第１マルチ編成チャンネル情報と、前記第２抽出部により抽出された前記第２マルチ編成チャンネル情報とを用いて、前記第１階層の放送に含まれる複数のサービス構成と前記第２階層の放送に含まれる複数のサービスの構成とを比較することにより、前記第１階層の放送に含まれる複数のサービスのうちいずれかのサービスと、第２階層の放送に含まれる複数のサービスのうちいずれかのサービスとがサイマル放送に該当するか否かを判定する判定部と、前記判定部での判定結果に基づいて、前記第１階層の放送と前記第２階層の放送との出力切替を行って、前記第１階層の放送に含まれる複数のサービスと前記第２階層の放送に含まれる複数のサービスとのうち、１つのサービスを出力する視聴切替制御部とを備える。
【０００９】
なお、本発明は、装置として実現するだけでなく、このような装置が備える処理手段を備える回路または集積回路として実現したり、その装置を構成する処理手段をステップとする方法として実現したり、それらステップをコンピュータに実行させるプログラムとして実現したりすることもできる。
【発明の効果】
【００１０】
本発明によれば、マルチ編成チャンネルを考慮し、サイマル放送されているサービスに対して、より確実に番組内容が同一のサービスに切り替える放送受信回路および放送受信装置を実現することができる。それにより、マルチ編成チャンネルで提供されるサービスに対しても、より確実にサイマル放送であるか否かを判定して、階層間のサービス切り替えの際に、映像・音声の内容が違和感なく切り替えることができる。
【図面の簡単な説明】
【００１１】
【図１】実施の形態１に係る放送受信装置の構成を示すブロック図である。
【図２】サイマル放送であるサービスを選択する方法の一例を表すフローチャートである。
【図３】視聴切替先のサービスに切り替える処理手順の一例を表すフローチャートである。
【図４】実施の形態２に係る放送受信装置の構成を示すブロック図である。
【図５】実施の形態３に係る放送受信装置の構成を示すブロック図である。
【発明を実施するための形態】
【００１２】
（実施の形態１）
以下、図面を参照して、本発明に係る放送受信回路および放送受信装置について説明する。なお、以降、放送受信装置を車載用の放送受信装置として説明するが、車載用に限定的に利用されるものではなく、家庭用や携帯機器用などにも用いることが可能である。すなわち、本発明に係る放送受信回路および放送受信装置は、以下の説明に限定されるものではなく、本発明の技術的範囲に属する限り、様々な形態を取り得るものとする。また、本発明に係る放送受信装置は、日本の地上デジタルテレビ放送の受信機能を有するものとして以下説明する。
【００１３】
地上デジタルテレビ放送では、１チャンネル分の帯域を１３個のセグメントに分割し、そのうちの１２個セグメントを固定向けサービス用に、残りの１セグメントを携帯向けサービス（例えば移動体受信端末）用に割り付けている。すなわち、地上デジタルテレビ放送には、固定向けサービスである１２セグ放送と携帯向けサービスである１セグ放送とがある。
【００１４】
固定向けサービス（１２セグ放送）では、映像・音声ともにＭＰＥＧ（Ｍｏｖｉｎｇ  Ｐｉｃｔｕｒｅ  Ｅｘｐｅｒｔ  Ｇｒｏｕｐ）２方式の符号化方式が採用されている。一方、携帯向けサービス（１セグ放送）では、映像については、Ｈ．２６４方式の符号化方式が採用され、音声については低ビットレートでも高音域のサンプリングが可能なＭＰＥＧ２  ＡＡＣ＋ＳＢＲ方式の符号化方式が採用されている。
【００１５】
ここで、１２セグ放送の符号化データは、１セグ放送の符号化データと比較して、高品質であるが、高ビットレートであるので、ノイズ耐性が弱く、放送局からの距離が離れたり、周囲の障害物の影響を受けやすい。そのため、移動体受信端末で１２セグ放送を受信する場合には、良好な受信を継続することが困難な場合がある。それに対して、１セグ放送の符号化データは、１２セグ放送の符号化データと比較して、ビットレートが低く、ノイズ耐性が強いことから、放送局からの距離が離れたり、周囲に障害物がある場合であっても影響を受けにくいという特徴がある。したがって、移動体受信端末で１セグ放送を受信する場合には、１２セグ放送を受信する場合に比べて良好な受信を継続することができる。
【００１６】
図１は、本発明に係る放送受信装置２００の構成を示すブロック図である。
【００１７】
図１に示す放送受信装置２００は、複数のサービスを含むマルチ編成チャンネル放送である第１階層の放送と第２階層の放送とを含む放送波を受信して、第１階層の放送に含まれる複数のサービスと、第２階層の放送に含まれる複数のサービスのうち、いずれか１つのサービスを出力する。具体的には、この放送受信装置２００は、１つのチャンネルに含まれる１２セグ放送と１セグ放送とを同時に受信し、受信した１２セグ放送に含まれるサービスと１セグ放送とに含まれるサービスの番組内容が同一となるサイマル放送状態であるか否かを検出し、サイマル放送状態の場合には異なる階層のサービスに映像音声を切り替えて出力する機能を有する。この放送受信装置２００は、チューナ／復調部２０、トランスポートデコーダ３０、第１階層放送用ＡＶデコーダ４０、第２階層放送用ＡＶデコーダ５０、第１階層放送マルチ編成チャンネル情報抽出部６０、第２階層放送マルチ編成チャンネル情報抽出部７０、サイマル放送判定部８０、視聴対象選択部９０、視聴切替制御部１００から構成される。
【００１８】
なお、以降の説明では、同一地域で同時に受信可能な条件を想定し、第１階層放送として１２セグ（フルセグ）、第２階層放送として１セグ（ワンセグ）を処理するとして説明する。
【００１９】
チューナ／復調部２０は、テレビ放送受信アンテナ１０で受信したＲＦ信号から、指定されたチャンネルの受信帯域に存在するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）信号を抽出する。チューナ／復調部２０は、抽出したＯＦＤＭ信号の復調を行なうことで指定された特定のチャンネルについての放送波のデジタル信号を取り出す。チューナ／復調部２０は、このデジタル信号から、１２セグ放送と１セグ放送とを、これら両方を含む１３セグＴＳ（Ｔｒａｎｓｐｏｒｔ  Ｓｔｒｅａｍ）の形式で抽出する。そして、抽出した１３セグＴＳをトランスポートデコーダ３０に出力する。また、チューナ／復調部２０は、テレビ放送受信アンテナ１０で受信した例えばＲＦ（Ｒａｄｉｏ  Ｆｒｅｑｕｅｎｓｙ）信号等の受信電波強度を示す受信電波強度情報を検出し、検出した受信電波強度情報を視聴対象選択部９０に出力する。
【００２０】
トランスポートデコーダ３０は、チューナ／復調部２０により入力された１３セグＴＳから、１２セグＴＳと１セグＴＳとをそれぞれ抽出する。トランスポートデコーダ３０は、抽出した１２セグＴＳを、第１階層放送用ＡＶデコーダ４０に出力し、抽出した１セグＴＳを、第２階層放送用ＡＶデコーダ５０へ出力する。また、トランスポートデコーダ３０は、チューナ／復調部２０により入力された１３セグＴＳから、１２セグＴＳと１セグＴＳとについての番組編成情報も分離する。そして、トランスポートデコーダ３０は、分離した１２セグに対応する番組編成情報（１２セグ番組情報）を、第１階層放送マルチ編成チャンネル情報抽出部６０に出力し、分離した１セグに対応する番組編成情報（１セグ番組情報）を、第２階層放送マルチ編成チャンネル情報抽出部７０に出力する。
【００２１】
第１階層放送用ＡＶデコーダ４０は、第１階層に含まれるサービスの中から１つを選択し、選択したサービスに該当する映像音声データをデコードし、視聴切替制御部１００にデコードした映像音声データを出力する。具体的には、本実施の形態の場合、第１階層放送用ＡＶデコーダ４０は、１２セグの映像音声データをデコードして視聴切替制御部１００に出力する。
【００２２】
また、第１階層放送用ＡＶデコーダ４０は、後述のサイマル放送判定部８０より、切替対象サービス情報が通知される。第１階層放送用ＡＶデコーダ４０は、サイマル放送判定部８０から通知された切替対象サービス情報が示す情報の内容に対応するサービスの映像音声データを選択してデコードを行い、その結果を視聴切替制御部１００に出力する。ここで、この切替対象サービス情報には、切替先となる階層が第１階層であるか、第２階層であるかを示す情報すなわち切替対象となる階層情報と、第１階層放送用ＡＶデコーダ４０がマルチ編成チャンネルで提供されるサービス群の中から、デコード対象とする映像音声データを選択するための識別情報（サイマル放送サービス識別情報）とが含まれている。
【００２３】
なお、第１階層放送用ＡＶデコーダ４０は、上記切替対象サービス情報が通知されないとしてもよく、その場合には、第１階層に含まれるサービスのうち、最初に検出されたサービスに対してデコードを行うなどの方法をとるなどしても良い。
【００２４】
第２階層放送用ＡＶデコーダ５０は、第２階層に含まれるサービスの中から１つを選択し、選択したサービスに該当する映像音声データをデコードし、視聴切替制御部１００にデコードした映像音声データを出力する。具体的には、本実施の形態の場合、第２階層放送用ＡＶデコーダ５０は、１セグの映像音声データをデコードして視聴切替制御部１００に出力する。
【００２５】
また、第２階層放送用ＡＶデコーダ５０は、前述の第１階層放送用ＡＶデコーダ４０と同様に、サイマル放送判定部８０より、切替対象サービス情報が通知される。第２階層放送用ＡＶデコーダ５０は、サイマル放送判定部８０から通知された切替対象サービス情報が示す情報の内容に対応するサービスの映像音声データを選択してデコードを行い、その結果を視聴切替制御部１００に出力する。ここで、この切替対象サービス情報には、切替先となる階層が第１階層であるか、第２階層であるかを示す情報、すなわち切替対象となる階層を示す情報と、第２階層放送用ＡＶデコーダ５０がマルチ編成チャンネルで提供されるサービス群の中から、デコード対象とする映像音声データを選択するための識別情報とが含まれる。
【００２６】
なお、第２階層放送用ＡＶデコーダ５０は、上記切替対象サービス情報が通知されないとしてもよく、その場合には、第２階層に含まれるサービスのうち、最初に検出されたサービスに対してデコードを行うなどの方法をとるなどしても良い。
【００２７】
第１階層放送マルチ編成チャンネル情報抽出部６０は、本発明に係る第１抽出部に相当し、第１階層の放送に含まれる複数のサービスの構成を示す第１マルチ編成チャンネル情報を抽出する。すなわち、第１階層放送マルチ編成チャンネル情報抽出部６０は、第１階層に含まれる番組情報から、マルチ編成チャンネルのサービスに関する情報を抽出し、サイマル放送判定部８０に出力する。具体的には、本実施の形態の場合、第１階層放送マルチ編成チャンネル情報抽出部６０は、１２セグ番組情報から、例えば１２セグ放送に含まれるサービスの構成を示す１２セグに対応する１２セグマルチ編成チャンネル情報を抽出し、サイマル放送判定部８０に出力する。
【００２８】
第２階層放送マルチ編成チャンネル情報抽出部７０は、本発明に係る第２抽出部に相当し第２階層の放送に含まれる複数のサービスの構成を示す第２マルチ編成チャンネル情報を抽出する。すなわち、第２階層放送マルチ編成チャンネル情報抽出部７０は、第２階層に含まれる番組情報から、マルチ編成チャンネルのサービスに関する情報を抽出し、サイマル放送判定部８０に出力する。具体的には、本実施の形態の場合、第２階層放送マルチ編成チャンネル情報抽出部７０は、１セグ番組情報から、例えば１セグ放送に含まれるサービスの構成を示す１セグに対応する１セグマルチ編成チャンネル情報を抽出し、サイマル放送判定部８０に出力する。
【００２９】
サイマル放送判定部８０は、本発明に係る判定部に相当し、第１階層放送マルチ編成チャンネル情報抽出部６０により抽出された第１マルチ編成チャンネル情報と、第２階層放送マルチ編成チャンネル情報抽出部７０で抽出した第２マルチ編成チャンネル情報とを用いて、第１階層の放送に含まれる複数のサービス構成と第２階層の放送に含まれる複数のサービスの構成とを比較することにより、第１階層の放送に含まれる複数のサービスのうちいずれかのサービスと、第２階層の放送に含まれる複数のサービスのうちいずれかのサービスとがサイマル放送に該当するか否かを判定する。具体的には、サイマル放送判定部８０は、第１階層放送マルチ編成チャンネル情報抽出部６０から入力された１２セグマルチ編成チャンネル情報と、第２階層放送マルチ編成チャンネル情報抽出部７０から入力された１セグマルチ編成チャンネル情報とを用いて、マルチ編成されたサービス間でのサイマル放送判定を行う。そして、サイマル放送判定部８０は、その判定結果を、放送切替判定情報として、視聴切替制御部１００に出力する。それとともに、サイマル放送判定部８０は、上述した切替対象サービス情報を第１階層放送用ＡＶデコーダ４０、および、第２階層放送用ＡＶデコーダ５０にそれぞれ通知する。ここで、放送切替判定情報は、放送切替が可能であるか否かを示すステータス情報を含む。例えば、放送切替が可能である旨を示す場合、ステータス情報は「切替可能」を示す。他方、放送切替が不可能である旨を示す場合、ステータス情報は「切替不可」を示す。
【００３０】
なお、サイマル放送判定部８０が行うサイマル放送の判定アルゴリズムについては、例えば、サービスを実際にデコードして映像音声データの特徴量を抽出して類似度判定を行う方法、ＴＳ（Ｔｒａｎｓｐｏｒｔ  Ｓｔｒｅａｍ）に含まれる番組編成情報に含まれるサービスのタイトル情報、番組概要などのテキスト情報を抽出して比較する方法など、様々な方法があるが、いずれでも構わない。すなわち、サイマル放送判定アルゴリズムの詳細について方法は問わない。
【００３１】
視聴対象選択部９０は、チューナ／復調部２０で検出された受信電波強度情報に基づき、適切な視聴対象を１２セグ放送と１セグ放送との間で決定する。そして、視聴対象選択部９０は、その決定結果を、視聴対象切替情報として、視聴対象の切り替え必要有無を示す視聴対象切替有無情報と、切り替え先の対象となる放送が１２セグ放送または１セグ放送であるかを示す切替先対象放送情報とを含めて出力する。
【００３２】
なお、適切な視聴対象を選択する例として、例えば、１２セグ放送と１セグ放送ともに受信感度が良好な場合には、より高精細な映像を視聴者に提供するため、１２セグ放送を視聴対象に選択するという方法が考えられる。また、別の例として、１２セグ放送の映像においてノイズが発生する程度まで受信感度が低下した場合は、１２セグ放送から１セグ放送に視聴対象を切り替える必要が有るという判断を行い、１セグ放送を視聴対象に選択する方法が考えられる。また、さらに、視聴対象選択部９０に対してリモコン外部入力Ｉ／Ｆ経由で指定を行なうことにより、１２セグ放送または１セグ放送を視聴対象として選択する方法も考えられる。
【００３３】
視聴切替制御部１００は、サイマル放送判定部８０での判定結果に基づいて、第１階層の放送と第２階層の放送との出力切替を行って、第１階層の放送に含まれる複数のサービスと第２階層の放送に含まれる複数のサービスとのうち、いずれか１つのサービスを出力する。具体的には、視聴切替制御部１００は、視聴対象切替情報と、放送切替判定情報とに従って、第１階層放送用ＡＶデコーダ４０でデコードした映像音声データ、または第２階層放送用ＡＶデコーダ５０でデコードした映像音声データのいずれかを選択し、モニタおよびスピーカに出力する。なお、視聴切替制御部１００は、サイマル放送判定部８０での判定結果に基づいて、サイマル放送判定部８０により切替先となる第２階層に含まれるサービスがいずれもサイマル放送でないと判定された場合は、第１階層の放送から第２階層の放送への出力切替を行わない。
【００３４】
以上のようにして、放送受信装置２００は構成される。
【００３５】
次に、以上のように構成された放送受信装置２００のサイマル放送判定部８０において、サイマル放送であるサービスが選択される方法について説明する。
【００３６】
図２は、サイマル放送であるサービスを選択する方法の一例を表すフローチャートである。
【００３７】
まず、サイマル放送判定部８０は、サイマル放送状態であるか判定する（Ｓ１０）。このとき、サイマル放送判定部８０は、Ｓ１０において、サイマル放送状態であるかの判定を、切替先のマルチ編成チャンネル数の数だけ繰り返して比較する。
【００３８】
具体的には、サイマル放送判定部８０は、マルチ編成チャンネルで提供されるサービスすなわち、現時点で出力しているサービス（現サービス）を考慮して、切替先となる複数のサービス全てについてサイマル放送であるか否かの判定を行う。より具体的には、サイマル放送判定部８０は、第１階層放送マルチ編成チャンネル情報抽出部６０からの１２セグマルチ編成チャンネル情報と、第２階層放送マルチ編成チャンネル情報抽出部７０からの１セグマルチ編成チャンネル情報とを用いて、１セグのマルチ編成されたサービスと１２セグのマルチ編成されたサービスと比較する。それにより、サイマル放送判定部８０は、例えば、現時点で出力している１２セグのマルチ編成されたサービス（現サービス）に対して、切替先となる１セグのマルチ編成された複数のサービスのいずれかにサイマル放送状態があるかを判定する。もちろん、現サービスを１セグのマルチ編成されたサービスとしてもよいのは言うまでもない。
【００３９】
ここで、切替先となるマルチ編成チャンネルの構成は、第１階層放送マルチ編成チャンネル情報抽出部６０または第２階層放送マルチ編成チャンネル情報抽出部７０にて予め抽出されているのが好ましい。そして、サイマル放送判定部８０は、マルチ編成されたサービス間でサイマル放送に該当するサービスが存在する場合には、Ｓ１２に遷移し、サイマル放送に該当するサービスが存在しない場合はＳ１１に遷移する。
【００４０】
なお、Ｓ１０の比較処理は、必ずしも視聴対象の切替直前に行われる必要はない。サイマル放送判定部８０は、視聴対象の切替に必要となる時間を短縮するために、第１階層放送マルチ編成チャンネル情報抽出部６０、または、第２階層放送マルチ編成チャンネル情報抽出部７０で、マルチ編成チャンネル情報が取得できた段階で比較を行い、切替先のサービスを確定するとしても良い。
【００４１】
また、Ｓ１０の比較処理において、視聴切替制御部１００は、第１階層の放送に含まれる複数のサービスのうちの１つのサービスを出力しており、サイマル放送判定部８０は、視聴切替制御部１００により出力されている第１階層の１つのサービスに対して、切替先となる第２階層に含まれるサービスのうちの複数のサービスがサイマル放送に該当すると判定する場合がある。
【００４２】
その場合、サイマル放送判定部８０は、さらに、上記複数のサービスが、所定の時間経過後もサイマル放送に該当するか否かを判定し、視聴切替制御部１００は、第１階層の放送から第２階層の放送に出力切替を行って、サイマル放送判定部８０により所定の時間経過後もサイマル放送に該当すると判定された上記複数のサービスのうちの１つのサービスを出力すればよい。つまり、複数個のサービスがサイマル放送に該当する場合には、さらに、以後数時間、例えば一日という任意の単位で後続の番組がサイマル放送であるか否かの判定を行い、サイマル放送がより長く継続されるサービスを切替先サービスとして選択すればよい。
【００４３】
このようにすれば、切替先となった階層において、例えば受信電波強度が弱いなど受信環境の悪い視聴状態が結果的に長時間にわたってしまう場合であっても、よりサイマル放送となる番組を長時間視聴し続けることができるという効果を奏する。
【００４４】
また、Ｓ１０の比較処理において、サイマル放送判定部８０は、視聴切替制御部１００が第１階層の放送に含まれる複数のサービスのうち１つのサービスを出力しているものの、切替先となる第２階層に含まれるサービスのいずれも当該１つのサービスのサイマル放送に該当しないと判定する場合がある。
【００４５】
その場合、サイマル放送判定部８０は、さらに、第２階層に含まれるサービスのうちのいずれかのサービスが所定の時間経過後に当該１つのサービスのサイマル放送に該当するか否かを判定する。そして、視聴切替制御部１００は、サイマル放送判定部８０により所定の時間経過後に当該１つのサービスのサイマル放送に該当すると判定された場合に、第１階層の放送から第２階層の放送に出力切替を行って、所定の時間経過後に当該１つのサービスのサイマル放送に該当すると判定されたいずれかのサービスを出力するとしてもよい。つまり、サイマル放送判定部８０は、複数個のサービスがサイマル放送に該当しない場合であっても、以後数時間、一日という任意の単位でその後提供されるサービスについてもサイマル放送であるか否かの判定を行う。そして、視聴切替制御部１００は、その後提供されるサービスの中にサイマル放送に該当するサービスが存在する場合には、図２のＳ１２で示す方法により視聴サービスを切り替えるとしても良い。
【００４６】
次に、サイマル放送判定部８０は、Ｓ１０において、切替先としてサイマル放送に該当するサービスが存在しなかった場合（Ｓ１０のＮＯ）、放送切替が不可能である旨を示す放送切替判定情報を、視聴切替制御部１００に出力する（Ｓ１１）。具体的には、サイマル放送判定部８０は、放送切替が不可能である旨を示すために、放送切替判定情報のステータス情報を「切替不可」と変更して、放送切替を行わない旨を示す放送切替判定情報を視聴切替制御部１００に対して出力する。
【００４７】
なお、Ｓ１１において、サイマル放送判定部８０が、放送切替が不可能である旨を示す放送切替判定情報を出力することに加えて、視聴切替制御部１００は、画像、映像、音声、またはそれらの組み合わせによる情報を利用して、切替を行わなかった旨を示す情報を、視聴者に提示するとしても良い。また、Ｓ１１において、サイマル放送判定部８０が、放送切替が不可能である旨を示す放送切替判定情報を出力することに加えて、視聴切替制御部１００は、予め機器の使用者に予約された１セグ、または１２セグ以外の他のサービスに切り替えて視聴者に提示するとしても良い。ここで、他のサービスとは、例えば写真、壁紙などの静止画、ＢＧＭ、およびアーティストの楽曲などが考えられるが、いずれであっても良い。
【００４８】
一方、サイマル放送判定部８０は、Ｓ１０において、サイマル放送に該当する切替先としてのサービスが存在した場合（Ｓ１０のＹＥＳ）、放送切替が可能である旨を示す放送切替判定情報を、視聴切替制御部１００に出力する（Ｓ１２）。具体的には、サイマル放送判定部８０は、放送切替が可能である旨を示すために、放送切替判定情報のステータス情報を「切替可能」と変更して、放送切替が可能である旨を示す放送切替判定情報を、視聴切替制御部１００に対して出力する。
【００４９】
次に、サイマル放送判定部８０は、切替対象サービス情報を通知する（Ｓ１３）。具体的には、サイマル放送判定部８０は、放送切替が可能である旨を示す放送切替判定情報を、視聴切替制御部１００に対して出力するとともに、切替対象サービス情報を、第１階層放送用ＡＶデコーダ４０と第２階層放送用ＡＶデコーダ５０とに対してそれぞれ通知する。
【００５０】
ここで、切替対象サービス情報は、上述したように、切替先となる階層が第１階層であるか、または、第２階層であるかを示す情報すなわち切替対象となる階層情報と、マルチ編成チャンネルで提供されるサービス群の中からデコード対象となる映像音声データを選択するための識別情報（以下、サイマル放送サービス識別情報とも記載）とを含む。
【００５１】
以上のようにして、サイマル放送判定部８０は、マルチ編成チャンネルに含まれるサービスの中から、サイマル放送に該当するサービスを選択して、視聴切替制御に遷移先すなわち放送切替に必要な情報を出力することができる。
【００５２】
次に、視聴サービスを切り替える処理の手順について、説明する。図３は、視聴切替先のサービスに切り替える処理手順の一例を表すフローチャートである。
【００５３】
まず、視聴切替制御部１００は、視聴対象選択部９０から出力された視聴対象切替情報を取得し、１２セグから１セグ、または、１セグから１２セグへの視聴対象の切替（要求）が発生しているか判定する（Ｓ２０）。
【００５４】
ここで、例えば、視聴切替制御部１００は、視聴対象を記憶する記憶領域を有し、現在出力対象としている映像音声データが１セグの場合は「０」、１２セグの場合は「１」と記録することとする。また、視聴対象選択部９０から出力された視聴対象切替情報も、この２値で表現するとする。その場合、視聴切替制御部１００は、Ｓ２０において、記憶領域に記録されている視聴対象の値と、視聴対象選択部９０から出力される視聴対象切替情報の値とが不一致のとき（Ｓ２０のＹＥＳ）、視聴対象の切替が発生したとして、Ｓ２１に遷移し、一致するときは（Ｓ２０のＮＯ）、処理を終了する。
【００５５】
次に、視聴切替制御部１００は、サイマル放送判定部８０からのマルチ編成チャンネル内のサービス群にサイマル放送に該当するサービスがあるか否かの示す情報に基づいて、出力切替を実行するか否かを判定する（Ｓ２１）。具体的には、視聴切替制御部１００は、サイマル放送判定部８０からの放送切替判定情報に基づいて、出力切替を実行するか否かを判定する。そして、視聴切替制御部１００は、１２セグと１セグとの間でサイマル放送に該当するサービスが存在する場合、サイマル放送判定部８０から入力されたステータス情報が「切替可能」を示す放送切替判定情報に基づいて、出力切替を実行すると判定し（Ｓ２１のＹＥＳ）、Ｓ２２に遷移する。一方、視聴切替制御部１００は、１２セグと１セグとの間でサイマル放送に該当するサービスが存在しない場合、サイマル放送判定部８０から入力されたステータス情報が「切替不可」を示す放送切替判定情報に基づいて、出力切替を実行しないと判定し（Ｓ２１のＮＯ）、図３のシーケンスを終了する。
【００５６】
次に、視聴切替制御部１００は、１２セグと１セグとの間でサイマル放送に該当するサービスが存在する場合に（Ｓ２１のＹＥＳ）、切替先の階層が第１階層であるか、第２階層であるかを判定する（Ｓ２２）。具体的には、視聴切替制御部１００は、この判定には、サイマル放送判定部８０が第１階層放送マルチ編成チャンネル情報抽出部６０、または、第２階層放送マルチ編成チャンネル情報抽出部７０に出力された切替対象サービス情報に含まれる情報より判定する。
【００５７】
そして、視聴切替制御部１００は、Ｓ２２での判定の結果、第１階層に切り替える場合はＳ２３に遷移し、第２階層に切り替える場合は、Ｓ２５に遷移する。
【００５８】
視聴切替制御部１００は、Ｓ２２での判定の結果、切替先の階層が第１階層であった場合（Ｓ２２の第１階層）、Ｓ２３において第１階層放送用ＡＶデコーダ４０でデコードした映像音声データを選択して、Ｓ２４においてモニタおよびスピーカに出力する。具体的には、Ｓ２３において、第１階層放送用ＡＶデコーダ４０は、サイマル放送判定部８０により通知された切替対象サービス情報が示す情報の内容に対応するサービスの映像音声データを選択してデコードを行う。より具体的には、第１階層放送用ＡＶデコーダ４０は、切替対象サービス情報に含まれるサイマル放送サービス識別情報で指示された第１階層放送に含まれるマルチ編成チャンネルのサービスを選択して、映像音声のデコードを開始する。そして、第１階層放送用ＡＶデコーダ４０は、デコードした映像音声データを視聴切替制御部１００に出力する。続いて、Ｓ２４において、視聴切替制御部１００は、モニタ・スピーカに対して出力する映像音声データを第１階層放送用ＡＶデコーダ４０でデコードした映像音声データに切り替える。例えば、視聴切替制御部１００は、モニタ・スピーカに対して出力する映像音声データを、第２階層放送用ＡＶデコーダ５０でデコードした映像音声データから、第１階層放送用ＡＶデコーダ４０でデコードした映像音声データに切り替える。
【００５９】
一方、視聴切替制御部１００は、Ｓ２２での判定の結果、切替先の階層が第２階層であった場合（Ｓ２２の第２階層）、Ｓ２５において第２階層放送用ＡＶデコーダ５０でデコードした映像音声データを選択して、Ｓ２６においてモニタおよびスピーカに出力する。具体的には、Ｓ２５において、第２階層放送用ＡＶデコーダ５０は、サイマル放送判定部８０により通知された切替対象サービス情報が示す情報の内容に対応するサービスの映像音声データを選択してデコードを行う。より具体的には、第２階層放送用ＡＶデコーダ５０は、切替対象サービス情報に含まれるサイマル放送サービス識別情報で指示された第２階層放送に含まれるマルチ編成チャンネルのサービスを選択して、映像音声のデコードを開始する。そして、第２階層放送用ＡＶデコーダ５０は、デコードした映像音声データを視聴切替制御部１００に出力する。続いて、Ｓ２６において、視聴切替制御部１００は、モニタ・スピーカに対して出力する映像音声データを第２階層放送用ＡＶデコーダ５０でデコードした映像音声データに切り替える。例えば、視聴切替制御部１００は、モニタ・スピーカに対して出力する映像音声データを、第１階層放送用ＡＶデコーダ４０でデコードした映像音声データから、第２階層放送用ＡＶデコーダ５０でデコードした映像音声データに切り替える。
【００６０】
このような手順を行うことにより、視聴切替制御部１００は、サイマル放送判定部８０で生成された視聴切替制御に必要な情報である放送切替判定情報に基づき、マルチ編成チャンネルに含まれるサービスの中から、所定のサイマル放送に該当するサービスを選択して、視聴切替制御を行うことができる。
【００６１】
以上、本実施の形態によれば、マルチ編成チャンネルを考慮し、サイマル放送されているサービスに対して、より確実に番組内容が同一のサービスに切り替える放送受信装置を
実現することができる。すなわち、本実施の形態における放送受信装置２００によれば、上述の手順を行うことにより、マルチ編成チャンネルで提供されるサービスに対しても、確実にサイマル放送であるか否かを判定して、階層間のサービス切替の際に、映像・音声の内容を違和感無く切り替えることができるという効果が得られる。
【００６２】
（実施の形態２）
以下では、実施の形態１の構成を拡張する場合の例として、複数の放送局から送出される放送波が受信可能なエリアにて、本発明を応用する場合の放送受信装置の構成について説明する。
【００６３】
図４は、実施の形態２に係る放送受信装置の構成を示すブロック図である。図４に示す放送受信装置２２０は、実施の形態１に係る放送受信装置２００に対して、テレビ放送受信アンテナ１０とテレビ放送受信アンテナ（副）２１０と、チューナ／復調部（副）２２１との構成が追加されている。なお、図１と同様の要素には同一の符号を付しており、詳細な説明は省略する。
【００６４】
この放送受信装置２２０は、移動可能であるが、２つの受信アンテナ（テレビ放送受信アンテナ１０およびテレビ放送受信アンテナ（副）２１０）を有するため、移動して複数の基地局から送出される放送波が受信可能となる場合がある。例えば、この放送受信装置２２０は、２つの受信アンテナを用いて、同一内容の番組であっても、エリア１で行われているサービスと、エリア２で行われているサービスという異なる周波数の放送波を両方同時に受信可能となる場合がある。そして、放送受信装置２２０は、エリア間で同一番組内容が提供されているサービスのうち一のサービスを選択して切り替えることができる。
【００６５】
以下では、放送受信装置２２０において、実施の形態１で第１階層放送を処理していたパートにてエリア１の１セグを、第２階層放送を処理していたパートにてエリア２の１セグを処理するものとして、実施の形態１とは異なる部分を主に説明する。
【００６６】
チューナ／復調部２０は、テレビ放送受信アンテナ１０で受信したＲＦ信号から、エリア１の放送波に該当するチャンネルのデジタル信号を取り出す。チューナ／復調部２０は、このデジタル信号から、エリア１の１３セグＴＳを抽出し、トランスポートデコーダ３０に出力する。
【００６７】
チューナ／復調部（副）２２１は、テレビ放送受信アンテナ（副）２１０で受信したＲＦ信号から、エリア２の放送波に該当するチャンネルのデジタル信号を取り出す。チューナ／復調部（副）２２１は、このデジタル信号から、エリア２の１３セグＴＳを抽出し、トランスポートデコーダ３０に出力する。
【００６８】
トランスポートデコーダ３０は、チューナ／復調部２０により入力されたエリア１の１３セグＴＳから、１２セグＴＳと１セグＴＳとをそれぞれ抽出する。そして、トランスポートデコーダ３０は、抽出した１２セグＴＳと１セグＴＳとのうち、エリア１で放送されている１セグＴＳを第１階層放送用ＡＶデコーダ４０に出力する。同様に、トランスポートデコーダ３０は、チューナ／復調部（副）２２１により入力されたエリア２の１３セグＴＳから、１２セグＴＳと１セグＴＳとをそれぞれ抽出する。そして、トランスポートデコーダ３０は、抽出した１２セグＴＳと１セグＴＳとのうち、エリア２で放送されている１セグＴＳを第２階層放送用ＡＶデコーダ５０に出力する。
【００６９】
また、トランスポートデコーダ３０は、チューナ／復調部２０により入力されたエリア１で放送されている放送波（エリア１の１３セグＴＳ）に含まれる番組編成情報、および、チューナ／復調部（副）２２１により入力されたエリア２で放送されている放送波（エリア２の１３セグＴＳ）に含まれる番組編成情報を分離する。そして、トランスポートデコーダ３０は、分離したエリア１の１セグに対応する番組編成情報（エリア１の１セグ番組情報）を、第１階層放送マルチ編成チャンネル情報抽出部６０に出力し、分離したエリア２の１セグに対応する番組編成情報（エリア２の１セグ番組情報）を、第２階層放送マルチ編成チャンネル情報抽出部７０に出力する。
【００７０】
第１階層放送用ＡＶデコーダ４０は、エリア１の１セグ放送に含まれるサービスの中から１つを選択し、そのサービスに該当する映像音声データをデコードして、視聴切替制御部１００に出力する。また、第１階層放送用ＡＶデコーダ４０は、サイマル放送判定部８０より、切替対象サービス情報が通知される。なお、この切替対象サービス情報には、切替先となる階層がエリア１の１セグ放送であるか、エリア２の１セグ放送であるかを示す情報すなわち切替対象となる階層の情報と、マルチ編成チャンネルで提供されるサービス群の中から、第１階層放送用ＡＶデコーダ４０がデコード対象とする映像音声データを選択するための識別情報とが含まれる。
【００７１】
第２階層放送用ＡＶデコーダ５０は、エリア２の１セグに含まれるサービスの中から１つを選択し、そのサービスに該当する映像音声データをデコードして、視聴切替制御部１００に出力する。また、第２階層放送用ＡＶデコーダ５０は、第１階層放送用ＡＶデコーダ４０と同様に、サイマル放送判定部８０より、切替対象サービス情報が通知される。なお、この切替対象サービス情報には、切替先となる階層がエリア１の１セグであるか、エリア２の１セグであるかを示す情報すなわち切替対象となる階層の情報と、マルチ編成チャンネルで提供されるサービス群の中から、第２階層放送用ＡＶデコーダ５０がデコード対象とする映像音声データを選択するための識別情報とが含まれる。
【００７２】
第１階層放送マルチ編成チャンネル情報抽出部６０は、エリア１のＴＳに含まれる番組情報から、エリア１で行われている１セグに限ったマルチ編成チャンネルのサービスに関する情報を抽出し、サイマル放送判定部８０に出力する。
【００７３】
第２階層放送マルチ編成チャンネル情報抽出部７０は、エリア２のＴＳに含まれる番組情報から、エリア２で行われている１セグに限ったマルチ編成チャンネルのサービスに関する情報を抽出し、サイマル放送判定部８０に出力する。
【００７４】
サイマル放送判定部８０は、第１階層放送マルチ編成チャンネル情報抽出部６０から入力されたエリア１の１セグマルチ編成チャンネル情報と、第２階層放送マルチ編成チャンネル情報抽出部７０から入力されたエリア２の１セグマルチ編成チャンネル情報とを用いて、マルチ編成されたサービス間でのサイマル放送判定を行う。そして、サイマル放送判定部８０は、その判定結果を、放送切替判定情報として、視聴切替制御部１００に出力する。それとともに、サイマル放送判定部８０は、上述した切替対象サービス情報を第１階層放送用ＡＶデコーダ４０、および、第２階層放送用ＡＶデコーダ５０にそれぞれ通知する。
【００７５】
視聴対象選択部９０は、チューナ／復調部２０、および、チューナ／復調部（副）２２１で検出された受信電波強度情報に基づき、適切な視聴対象をエリア１の１セグ放送とエリア２の１セグ放送との間で決定する。そして、視聴対象選択部９０は、その決定結果を、視聴対象切替情報として、視聴対象の切り替え必要有無を示す視聴対象切替有無情報と、切り替え先の対象となる放送が、エリア１の１セグ放送とエリア２の１セグ放送のいずれかであるかを示す切替先対象放送情報とを含めて出力する。
【００７６】
視聴切替制御部１００は、視聴対象切替情報と、放送切替判定情報とに従って、第１階層放送用ＡＶデコーダ４０でデコードした映像音声データ、または第２階層放送用ＡＶデコーダ５０でデコードした映像音声データのいずれかを選択し、モニタおよびスピーカに出力する。
【００７７】
以上のようにして、放送受信装置２２０は構成される。
【００７８】
なお、本実施の形態における放送受信装置２２０が、サイマル放送に該当するサービスの選択する方法、および、視聴サービスを切り替える方法については、実施の形態１と同様であるため、説明を省略する。
【００７９】
以上、本実施の形態によれば、マルチ編成チャンネルを考慮し、サイマル放送されているサービスに対して、より確実に番組内容が同一のサービスに切り替える放送受信装置を
実現することができる。具体的には、本実施の形態の放送受信装置２２０によれば、放送受信装置２２０が移動して、複数の基地局から送出される放送波が受信可能となっている場合において、移動元の放送がマルチ編成チャンネル構成である場合、移動先の放送がマルチ編成チャンネルである場合、または移動元、移動先ともにマルチ編成チャンネルである場合であっても、エリア間で同一番組内容が提供されているサービスを選択して切り替えることが可能となる。
【００８０】
なお、本実施の形態において、エリア１の１セグとエリア２の１セグとを処理する例を説明したが、それに限らず、その他の組み合わせであっても良い。例えば、エリア１の１２セグとエリア２の１２セグとを処理する場合、エリア１の１セグとエリア２の１２セグとを処理する場合、または、エリア１の１２セグとエリア２の１セグとを処理する場合、いずれの組み合わせで処理するとしても良い。
【００８１】
（実施の形態３）
以下では、実施の形態１の構成を拡張する別の場合の例として、視聴切替を行った際の付加情報を映像音声データに重畳する場合の放送受信装置の構成について説明する。
【００８２】
図５は、実施の形態３に係る放送受信装置の構成を示すブロック図である。図５に示す放送受信装置３００は、実施の形態１に係る放送受信装置２００に対して、サービス詳細情報通知部３１０、および視聴情報付加部３２０の構成が追加されている。なお、図１と同様の要素には同一の符号を付しており、詳細な説明は省略する。
【００８３】
サービス詳細情報通知部３１０は、本発明に係る情報通知部に相当し、第１階層の放送に含まれる複数のサービスと第２階層の放送に含まれる複数のサービスとの少なくとも一方に関する情報を利用者に提示するためのものである。
【００８４】
具体的には、サービス詳細情報通知部３１０は、視聴切替制御部１００から、現在出力中の映像音声データがどの階層に属するかという視聴中階層情報を受信する。また、サービス詳細情報通知部３１０は、第１階層放送マルチ編成チャンネル情報抽出部６０から１２セグマルチ編成チャンネル情報を受信し、第２階層放送マルチ編成チャンネル情報抽出部７０から１セグマルチ編成チャンネル情報を受信する。そして、サービス詳細情報通知部３１０は、受信した視聴中階層情報より、現在視聴中でない階層を判定し、その階層に含まれるサイマル放送以外のサービスに関する情報を抽出し、その情報を加工して視聴付加情報として、後述の視聴情報付加部３２０に出力する。
【００８５】
例えば、サイマル放送判定部８０により、視聴切替制御部１００が第１階層の放送に含まれる複数のサービスのうち１つのサービスを出力している場合において、切替先となる第２階層に含まれるサービスがいずれも当該１つのサービスのサイマル放送でない場合で、かつ、第２階層に含まれる複数のサービスがそれぞれ異なると判定される場合がある。その場合に、サービス詳細情報通知部３１０は、第２階層に含まれる複数のサービスそれぞれに関する情報を視聴情報付加部３２０に通知し、視聴情報付加部３２０に利用者に対して提示させる。
【００８６】
視聴情報付加部３２０は、サービス詳細情報通知部３１０からの視聴付加情報に基づき、視聴切替制御部１００から出力された映像音声データに対して情報重畳を行う。視聴情報付加部３２０は、その結果すなわち情報重畳を行った映像音声データを映像音声および放送情報として、モニタおよびスピーカに出力する。
【００８７】
なお、視聴情報付加部３２０が重畳する方法としては、例えば現在視聴中のサービスの動画の上に、切替先候補となる別のサービスの画面イメージを小窓形式で画面端に並べて表示したり、各サービスに含まれる番組内容を表すタイトル情報を文字列で列挙したりするなどの方法が考えられるが、いずれの方法であっても良い。もちろん、上述の提示例以外の方法を用いてもよい。
【００８８】
以上のように構成される放送受信装置３００は、マルチ編成チャンネルに含まれるサイマル放送以外のサービスの存在を使用者に提示することができる。
【００８９】
本実施の形態における放送受信装置３００は、上記構成を備えることで、チューナ／復調部２０で再選局を行わなくても、受信中のチャンネルのまま、別内容の番組を視聴可能であることを視聴者に対して通知することが可能となる。それにより、マルチ編成チャンネル構成を陽に意識していない視聴者により多くのサービスを提示する機会が増えるという効果がある。
【００９０】
なお、視聴情報付加部３２０は、サービス詳細情報通知部３１０により入力された視聴付加情報すなわちサイマル放送以外のサービスに関する情報に加工された映像音声および放送情報等を提示し、その提示に基づき、提供可能なサービスを利用者に選択させるとしてもよい。そして、視聴切替制御部１００は、例えば第２階層に含まれる複数のサービスのうち特定のサービスを選択する旨の指示を利用者により受けた場合、第１階層の放送から第２階層の放送に出力切替を行って、前記特定のサービスを出力すればよい。それにより、放送受信装置３００は、提示された切替可能なサービスのいずれかを即時視聴することができるなど、利用者の視聴サービス選択の操作性がより向上するという効果を奏する。
【００９１】
また、前述の陽に提示した切替先の候補の中から、利用者が選択したサービスに切り替えた後に、放送波の受信状況が変化したことで、切替元の階層が視聴可能となる場合がある。その場合、視聴情報付加部３２０は、再度利用者に切替元の受信状況が回復した旨を通知し、一度、利用者に選ばせたサービスから、切替元の階層のサービスに視聴対象を再び変更するか否かを、再度、利用者に選択させるとしてもよい。すなわち、サービス詳細情報通知部３１０は、利用者が選択した第２階層の放送のサービスへの切り替えた後に、放送波の受信状況が変化し、第１階層の放送が視聴可能となった際、第１階層の放送に含まれる複数のサービスのうち切り替え前に選択されていた１つのサービスが視聴可能となった旨の情報を利用者に提示するとしてもよい。それにより、視聴者が新たに興味を持って意図的に選択したサービスから装置が自動的に元のサービスに復帰することを防ぐことなり、使用者が意図しないサービスの切替を抑制することが可能となるという効果がある。
【００９２】
また、番組内容をサイマル放送と判定した場合であっても、切替先のサービス内容が完全に一致していない場合も考えられる。具体的には、１２セグに含まれるサービスには、主音声と副音声とが含まれているが、切替先である１セグのサービスには、主音声のみ含まれているという場合である。このような場合、１２セグのサービス視聴中に副音声を選択している状態で、階層間の切替が行われると、遷移先の階層のサービスでは、主音声しか存在しないため、主音声を強制的に選択せざるを得ない。そして、この場合の切替先の主音声は、切替元の副音声の内容と同一でないことがあり得る。
【００９３】
そのような場合には、視聴情報付加部３２０に、サイマル放送判定部８０によりサイマル放送と判定されている場合であっても、提供するサービス内容の詳細が変更されたことを使用者に映像音声あるいは放送情報として提示させるとしてもよい。すなわち、サービス詳細情報通知部３１０は、サイマル放送判定部８０により、切替先となる第２階層に含まれるサービスが、視聴切替制御部１００により出力されている第１階層の１つのサービスのサイマル放送に該当すると判定されるものの、サービス内容の詳細が一致しないと判定される場合には、その結果を利用者に対して提示するとしてもよい。
【００９４】
例えば、アイコンのような定型の画像を視聴中の動画に重畳することにより提示させる方法や、定型の音声を再生することにより提示させる方法などがある。それにより、異なる階層で行われているサービス間で番組詳細が異なるような場合、サイマル放送と判定して視聴対象を切り替えることができるだけでなく、視聴者に対して違和感を与えるような切替になった場合には、その要因を提示した上でサービスの切替を行うことができるという効果を奏する。
【００９５】
なお、本実施の形態におけるサイマル放送に該当するサービスの選択方法、および、視聴サービスを切り替える方法については、実施の形態１と同様の方法で実施可能であるため、説明を省略する。
【００９６】
以上、本実施の形態によれば、マルチ編成チャンネルを考慮し、サイマル放送されているサービスに対して、より確実に番組内容が同一のサービスに切り替える放送受信装置を
実現することができるだけでなく、映像音声、放送情報、またはその両方による視聴付加情報を付加することができる放送受信装置を実現することができる。それにより、マルチ編成チャンネルに含まれるサイマル放送以外のサービスの存在を使用者に提示することで、視聴者はより多くの番組の中から好みのサービスを選択することが可能となるという効果がある。
【００９７】
以上のように、本発明によれば、マルチ編成チャンネルを考慮し、サイマル放送されているサービスに対して、より確実に番組内容が同一のサービスに切り替える放送受信回路および放送受信装置を実現することができる。
【００９８】
なお、実施の形態１、実施の形態２、および、実施の形態３では、日本の地上デジタルテレビ放送において、サイマル放送であるか否かをより確実に判定する場合について説明したが、それに限らない。海外において、テレビ放送規格にサーマルキャスト方式が採用された場合には、本発明の範囲内に含まれる。
【００９９】
また、実施の形態１、実施の形態２、および、実施の形態３における放送受信装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。上記ＲＡＭには、コンピュータプログラムが記憶されている。上記マイクロプロセッサが、上記コンピュータプログラムにしたがって動作することにより、システムＬＳＩは、その機能を達成する。
【０１００】
また、上記の各装置を構成する構成要素の各部は、個別に１チップ化されていてもよいし、一部またはすべてを含むように１チップ化されていてもよい。
【０１０１】
また、ここでは、システムＬＳＩと呼称したが、集積度の違いにより、ＩＣ、ＬＳＩ、スーパーＬＳＩ、ウルトラＬＳＩと呼称されることもある。また、集積回路化の手法はＬＳＩに限られるものではなく、専用回路または汎用プロセッサで実現してもよい。また、ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０１０２】
さらには、半導体技術の進歩または派生する別技術によりＬＳＩに置き換わる集積回路化の技術が登場すれば、当然、その技術を用いて構成要素の集積化を行ってもよい。
【０１０３】
以上、本発明の放送受信回路および放送受信装置について、実施の形態に基づいて説明したが、本発明は、上記実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１０４】
本発明は、放送受信回路および放送受信装置に利用でき、特に、デジタル放送等で特定チャネルにおける１２セグ放送と１セグ放送とを切り替えて視聴することができる放送受信回路および放送受信装置に利用することができる。
【符号の説明】
【０１０５】
１０、２１０  テレビ放送受信アンテナ
２０、２２１  チューナ／復調部
３０  トランスポートデコーダ
４０  第１階層放送用ＡＶデコーダ
５０  第２階層放送用ＡＶデコーダ
６０  第１階層放送マルチ編成チャンネル情報抽出部
７０  第２階層放送マルチ編成チャンネル情報抽出部
８０  サイマル放送判定部
９０  視聴対象選択部
１００  視聴切替制御部
２００、２２０、３００  放送受信装置
３１０  サービス詳細情報通知部
３２０  視聴情報付加部
【図１】
0005520685.tif 000002
【図２】
0005520685.tif 000003
【図３】
0005520685.tif 000004
【図４】
0005520685.tif 000005
【図５】
0005520685.tif 000006